(57)【特許請求の範囲】
【請求項１】
分散させる物と液体とが混合された状態の液状体を収納し、振ることにより前記分散させる物を前記液体に分散させ、さらに泡立てることを実現する泡立て器であって、
前記液状体及びそれを泡立てた泡を収納する上下に延びる収納部と、
前記液状体を出し入れすべく、前記収納部の上部に設けられた上部開閉部と、
前記収納部の内部に収納され、巻き径が一定であり、上端及び下端のピッチがそれぞれ密であり中央部が疎であり、前記収納部の内部において自由に移動可能なコイルばねと、
前記コイルばねの一端又は両端に設けるサイレンサーと、
ユーザが必要に応じて、前記サイレンサーに取り換えて用いて、前記収納部の開口部に前記コイルばねを固定するバネ固定具と
を有し、
前記サイレンサーは、
前記コイルばねの端の１巻に対してその１巻がなす面状の広がりのうちの８０パーセントに当接して支えるコイルばね当接部と、
前記コイルばね当接部に対して垂直であり、前記コイルばねを構成するコイルに対しても垂直であって、前記コイルばね当接部の前記コイルばねが当接する限界の場所に設けられた二つの垂直壁である第一の垂直壁、第二の垂直壁と、
前記コイルばね当接部の前記コイルばねとは反対側に垂直に延びる円筒状の壁であって、前記コイルばねの外径を、内径とする円筒壁部と、
とを有し、前記第一の垂直壁と、前記第二の垂直壁には、それぞれ前記コイルばねを構成するコイルが通ることが可能な孔を二個ずつ前記コイルばねの延びる方向に並べて設けられており、
前記バネ固定具は、
前記コイルばねの端の１巻に対してその１巻がなす面状の広がりのうちの８０パーセントに当接して支えるコイルばね当接部と、
前記コイルばね当接部に対して垂直であり、前記コイルばねを構成するコイルに対しても垂直であって、前記コイルばね当接部の前記コイルばねが当接する限界の場所に設けられた二つの垂直壁である第一の垂直壁、第二の垂直壁と、
前記コイルばね当接部の前記コイルばねとは反対側に垂直に延びる円筒状の壁であって、前記コイルばねの外径を、内径とする円筒壁部と、
前記円筒壁部の、前記コイルばね当接部とは反対側に、前記コイルばね当接部に対して平行な円板であって外側に延びる鍔（つば）とを有し、
前記第一の垂直壁と、前記第二の垂直壁には、それぞれ前記コイルばねを構成するコイルが通ることが可能な孔を二個ずつ前記コイルばねの延びる方向に並べて設けられており、
前記鍔の外径は、前記収納部の開口部の外径と同じであって、ユーザが必要に応じて、前記サイレンサーを前記バネ固定具に取り換えて、収納部の開口部に前記コイルばねを固定して使うことを可能にした
ことを特徴とする泡立て器。
【請求項２】
前記収納部は、中央部が広くなっており、前記泡立てた泡を収納する空間を構成することを特徴とする請求項１に記載した泡立て器。
【請求項３】
前記収納部内の上部および下部に、衝撃吸収材を設けたことを特徴とする請求項１又は請求項２に記載した泡立て器。
【請求項４】
前記収納部の下部に下部開閉部をさらに設けたことを特徴とする請求項１から請求項３までのいずれか１項に記載した泡立て器。
【請求項５】
分散させる物と液体とが混合された状態の液状体を収納し、振ることにより前記分散させる物を前記液体に分散させ、さらに泡立てることを実現する泡立て器であって、
前記液状体及びそれを泡立てた泡を収納する上下に延びる内側の空間を有し、外側には手で握るためのグリップ形状を有する収納部と、
前記液状体を出し入れすべく、前記収納部の上部に設けられた開閉部と、
前記収納部の内部に収納され、長さが前記収納部の内側の高さの６０パーセントから８０パーセントであり、巻き径が一定であり、中央部が密で両端部が疎であるピッチを有し、前記収納部の内部において上下方向に自由に移動可能で、振動及び揺動が可能なコイルばねと、
前記コイルばねの一端又は両端に設けるサイレンサーと、
ユーザが必要に応じて、前記サイレンサーに取り換えて用いて、前記収納部の開口部に前記コイルばねを固定するバネ固定具と
を有し、
前記サイレンサーは、
前記コイルばねの端の１巻に対してその１巻がなす面状の広がりのうちの８０パーセントに当接して支えるコイルばね当接部と、
前記コイルばね当接部に対して垂直であり、前記コイルばねを構成するコイルに対しても垂直であって、前記コイルばね当接部の前記コイルばねが当接する限界の場所に設けられた二つの垂直壁である第一の垂直壁、第二の垂直壁と、
前記コイルばね当接部の前記コイルばねとは反対側に垂直に延びる円筒状の壁であって、前記コイルばねの外径を、内径とする円筒壁部と、
とを有し、前記第一の垂直壁と、前記第二の垂直壁には、それぞれ前記コイルばねを構成するコイルが通ることが可能な孔を二個ずつ前記コイルばねの延びる方向に並べて設けられており、
前記バネ固定具は、
前記コイルばねの端の１巻に対してその１巻がなす面状の広がりのうちの８０パーセントに当接して支えるコイルばね当接部と、
前記コイルばね当接部に対して垂直であり、前記コイルばねを構成するコイルに対しても垂直であって、前記コイルばね当接部の前記コイルばねが当接する限界の場所に設けられた二つの垂直壁である第一の垂直壁、第二の垂直壁と、
前記コイルばね当接部の前記コイルばねとは反対側に垂直に延びる円筒状の壁であって、前記コイルばねの外径を、内径とする円筒壁部と、
前記円筒壁部の、前記コイルばね当接部とは反対側に、前記コイルばね当接部に対して平行な円板であって外側に延びる鍔（つば）とを有し、
前記第一の垂直壁と、前記第二の垂直壁には、それぞれ前記コイルばねを構成するコイルが通ることが可能な孔を二個ずつ前記コイルばねの延びる方向に並べて設けられており、
前記鍔の外径は、前記収納部の開口部の外径と同じであって、ユーザが必要に応じて、前記サイレンサーを前記バネ固定具に取り換えて、収納部の開口部に前記コイルばねを固定して使うことを可能にし、
使用者が前記収納部が上下に延びる向きで上下に振ることと、前記収納部が左右に延びる向きで左右に振ることとの双方を可能にすることを特徴とする泡立て器。
【請求項６】
前記コイルばねの巻き径は、前記収納部の内側の径の５５パーセントから８５パーセントであることを特徴とする請求項５に記載した泡立て器。
【請求項７】
前記コイルばねのピッチは、中央部にピッチがゼロすなわち隣とくっついている状態の巻きが１０巻あり、中央部以外すなわち両端部におけるピッチすなわち隣の線と離れている距離が前記コイルばねの線径の５５パーセントから６５パーセントであることを特徴とする請求項１又は請求項５に記載した泡立て器。
【請求項８】
前記コイルばねの材質をステンレスとしたことを特徴とする請求項１から請求項７までのいずれか１項に記載した泡立て器。
【請求項９】
前記コイルばねの線径を１．０ミリメートルから１．８ミリメートルとしたことを特徴とする請求項１から請求項８までのいずれか１項に記載した泡立て器。
【請求項１０】
前記コイルばねの自然長を８０ミリメートルから９５ミリメートルとしたことを特徴とする請求項１から請求項９までのいずれか１項に記載した泡立て器。
【請求項１１】
請求項５から請求項１０までのいずれか１項に記載した泡立て器を用いて、液状体を泡立てる泡立て器の使用方法であって、
前記収納部に分散させる物と液体とが混合された状態の液状体及び前記コイルばねを収納し、前記開閉部を閉じる収納ステップと、
前記収納ステップにより、前記液状体及び前記コイルばねが収納された泡立て器を前記上下に延びる内側の空間が垂直方向になるように使用者が手に持って前記コイルばねが振動可能な上下方向の向きに繰り返し振る上下動撹拌ステップと、
前記上下動撹拌ステップの後に、前記液状体及び前記コイルばねが収納された泡立て器を前記上下に延びる内側の空間が水平方向になるように使用者が手にもって前記コイルばねが振動可能な左右方向の向きに繰り返し振る左右動撹拌ステップと、
前記開閉部を開けて内容物を取り出す取り出しステップと
からなる泡立て器の使用方法。
【請求項１２】
請求項５から請求項１０までのいずれか１項に記載した泡立て器を用いて、液状体を泡立てる泡立て器の使用方法であって、
チューブに収納された洗顔フォームを絞り出した物に対して、溶かし水を混合した液状体及び前記コイルばねを前記収納部に収納し、前記開閉部を閉じる収納ステップと、
前記収納ステップにより、前記液状体及び前記コイルばねが収納された泡立て器を前記上下に延びる内側の空間が垂直方向になるように使用者が手に持って前記コイルばねが振動可能な上下方向の向きに４０回から７５回、繰り返し振る上下動撹拌ステップと、
前記上下動撹拌ステップの後に、前記液状体及び前記コイルばねが収納された泡立て器を前記上下に延びる内側の空間が水平方向になるように使用者が手にもって前記コイルばねが振動可能な左右方向の向きに４０回から７５回、繰り返し振る左右動撹拌ステップと、
前記開閉部を開けて内容物を取り出す取り出しステップと
からなる泡立て器の使用方法。
【請求項１３】
請求項５から請求項１０までのいずれか１項に記載した泡立て器を用いて、液状体を泡立てる泡立て器の使用方法であって、
ポンプ式容器に収納されたジェル状ハンドソープをプッシュして出た物に対して、溶かし水を混合した液状体及び前記コイルばねを前記収納部に収納し、前記開閉部を閉じる収納ステップと、
前記収納ステップにより、前記液状体及び前記コイルばねが収納された泡立て器を前記上下に延びる内側の空間が垂直方向になるように使用者が手に持って前記コイルばねが振動可能な上下方向の向きに２０回から４０回、繰り返し振る上下動撹拌ステップと、
前記上下動撹拌ステップの後に、前記液状体及び前記コイルばねが収納された泡立て器を前記上下に延びる内側の空間が水平方向になるように使用者が手にもって前記コイルばねが振動可能な左右方向の向きに２０回から４０回、繰り返し振る左右動撹拌ステップと、
前記開閉部を開けて内容物を取り出す取り出しステップと
からなる泡立て器の使用方法。
【請求項１４】
請求項５から請求項１０までのいずれか１項に記載した泡立て器を用いて、液状体を泡立てる泡立て器の使用方法であって、
ポンプ式容器に収納されたジェル状ボディソープをプッシュして出た物に対して、溶かし水を混合した液状体及び前記コイルばねを前記収納部に収納し、前記開閉部を閉じる収納ステップと、
前記収納ステップにより、前記液状体及び前記コイルばねが収納された泡立て器を前記上下に延びる内側の空間が垂直方向になるように使用者が手に持って前記コイルばねが振動可能な上下方向の向きに５０回から１００回、繰り返し振る上下動撹拌ステップと、
前記上下動撹拌ステップの後に、前記液状体及び前記コイルばねが収納された泡立て器を前記上下に延びる内側の空間が水平方向になるように使用者が手にもって前記コイルばねが振動可能な左右方向の向きに５０回から１００回、繰り返し振る左右動撹拌ステップと、
前記開閉部を開けて内容物を取り出す取り出しステップと
からなる泡立て器の使用方法。
【請求項１５】
請求項５から請求項１０までのいずれか１項に記載した泡立て器を用いて、液状体を泡立てる泡立て器の使用方法であって、
ポンプ式容器に収納されたジェル状シャンプーをプッシュして出た物に対して、溶かし水を混合した液状体及び及び前記コイルばねを前記収納部に収納し、前記開閉部を閉じる収納ステップと、
前記収納ステップにより、前記液状体及び前記コイルばねが収納された泡立て器を前記上下に延びる内側の空間が垂直方向になるように使用者が手に持って前記コイルばねが振動可能な上下方向の向きに４０回から７５回、繰り返し振る上下動撹拌ステップと、
前記上下動撹拌ステップの後に、前記液状体及び前記コイルばねが収納された泡立て器を前記上下に延びる内側の空間が水平方向になるように使用者が手にもって前記コイルばねが振動可能な左右方向の向きに４０回から７５回、繰り返し振る左右動撹拌ステップと、
前記開閉部を開けて内容物を取り出す取り出しステップと
からなる泡立て器の使用方法。
【請求項１６】
請求項５から請求項１０までのいずれか１項に記載した泡立て器を用いて、液状体を泡立てる泡立て器の使用方法であって、
プッシュ式容器に収納されたジェル状台所洗剤をプッシュして出た物に対して、溶かし水を混合した液状体及び前記コイルばねを前記収納部に収納し、前記開閉部を閉じる収納ステップと、
前記収納ステップにより、前記液状体及び前記コイルばねが収納された泡立て器を前記上下に延びる内側の空間が垂直方向になるように使用者が手に持って前記コイルばねが振動可能な上下方向の向きに４０回から７５回、繰り返し振る上下動撹拌ステップと、
前記上下動撹拌ステップの後に、前記液状体及び前記コイルばねが収納された泡立て器を前記上下に延びる内側の空間が水平方向になるように使用者が手にもって前記コイルばねが振動可能な左右方向の向きに４０回から７５回、繰り返し振る左右動撹拌ステップと、
前記開閉部を開けて内容物を取り出す取り出しステップと
からなる泡立て器の使用方法。
【請求項１７】
請求項５から請求項１０までのいずれか１項に記載した泡立て器を用いて、液状体を泡立てる泡立て器の使用方法であって、
固形の洗顔せっけんを家庭用のおろし器を用いて粉にする粉せっけん製造ステップと、
前記粉せっけん製造ステップにて製造された粉せっけんを溶かし水と混合した液状体及び前記コイルばねを前記収納部に収納し、前記開閉部を閉じる収納ステップと、
前記収納ステップにより、前記液状体及び前記コイルばねが収納された泡立て器を前記上下に延びる内側の空間が垂直方向になるように使用者が手に持って前記コイルばねが振動可能な上下方向の向きに４０回から１００回、繰り返し振る上下動撹拌ステップと、
前記上下動撹拌ステップの後に、前記液状体及び前記コイルばねが収納された泡立て器を前記上下に延びる内側の空間が水平方向になるように使用者が手にもって前記コイルばねが振動可能な左右方向の向きに４０回から１００回、繰り返し振る左右動撹拌ステップと、
前記開閉部を開けて内容物を取り出す取り出しステップと
からなる泡立て器の使用方法。
【請求項１８】
請求項１１から請求項１７までのいずれか１項に記載した泡立て器の使用方法であって、
前記取り出しステップの後に、
前記取り出しステップにて取り出した内容物を使用者が手に取って手もみする手もみステップを加えて、
しっとりクリーミー泡の状態をふわふわクリーミー泡に変化させることを特徴とする泡立て器の使用方法。
【請求項１９】
請求項５から請求項１０までのいずれか１項に記載した泡立て器を用いて、粉状体を液体に溶かす撹拌方法であって、
前記収納部に粉状体と液体と前記コイルばねとを収納し、前記開閉部を閉じる収納ステップと、
前記収納ステップにより、前記粉状体と液体と前記コイルばねが収納された泡立て器を前記上下に延びる内側の空間が垂直方向になるように使用者が手に持って前記コイルばねが振動可能な上下方向の向きに繰り返し振る上下動撹拌ステップと、
前記上下動撹拌ステップの後に、前記粉状体と液体と前記コイルばねが収納された泡立て器を前記上下に延びる内側の空間が水平方向になるように使用者が手にもって前記コイルばねが振動可能な左右方向の向きに繰り返し振る左右動撹拌ステップと、
前記開閉部を開けて内容物を取り出す取り出しステップと
からなる撹拌方法。
【発明の詳細な説明】
【技術分野】
【０００１】
本発明は、泡立て器に関する。とりわけ、液体（油相）と液体（水相）、気体と液体、液体と固体を撹拌し泡立てる泡立て器に関し、巻き径が一定でありピッチに疎密を有し容器内を自由に移動可能なコイルばねを有する泡立て器に関する。
【背景技術】
【０００２】
特許文献１には、食材撹拌装置が提案されている。食酢と米飯とをドラムに入れて撹拌し、酢飯とする装置を提供するものである。
特許文献２には、薄力粉を含む生地の混練を、オゾンの存在下で行うことが提案されている。
特許文献３には、容器詰め液状調味料であって、食肉をジューシーでソフトな食感・繊維感・食味が得られるものにするものが提案されている。
特許文献４には、容器入り大根おろし含有液状調味料であって、フライ食品と和えるのに適したものが提案されている。
特許文献５には、容器入り分離液状調味料が開示されている。軽く振って油相を水相に分散させ、生野菜等の食材にかけて喫食した際に、水相に粉砕物として配合された野菜類そのものの風味がはっきりと認識でき、しかも、粉砕物が容器底部に沈殿しがたく、外観にすぐれたものが提案されている。
特許文献６には、液状調味料容器が開示されている。内容物が粘度の高い液状調味料であっても、ボトルがしなやかに変形することで排出しやすく、かつ内容物が少なくなっても容器本来の美観を損ないにくいものが提案されている。
特許文献７には、包装容器入り食用油脂類分離型ごま粒子含有液状調味料が開示されている。ゴマ粒子を含有し、食用油脂類、分散剤を含有するものであって、手に持って軽く振るだけで、ゴマ粒子が容易に分散するものである。
特許文献８には、ヒートポンプシステムにおける撹拌装置（液化促進装置）が開示されている。二つの鏡板に閉塞された円筒状の筐体の内部に螺旋バネ（スプリング）を上下動可能に設けたものである。
特許文献９には、サラダドレッシングなどを混合する撹拌組立体について記載されている。容器内部に螺旋形上のテザーと撹拌装置を有し、テザーと撹拌装置とは結合していること、テザーは容器の撹拌又は振とうの間に伸張及び収縮すること、テザーの保持の手段として保持リングを有していること、容器の環状溝に保持リングが嵌合することについて記載されている。
【先行技術文献】
【特許文献】
【０００３】
【特許文献１】特開２０１７−２１２８８９号公報
【特許文献２】特許第４７２４１７５号公報
【特許文献３】特開２０１４−１２４１２３号公報
【特許文献４】特開２０１３−１１１０６４号公報
【特許文献５】特開２０１１−１０９９７３号公報
【特許文献６】特開２０１７−０１９５６２号公報
【特許文献７】特開２００２−３６９６６５号公報
【特許文献８】特開２０１５−２１２６０１号公報
【特許文献９】米国特許出願公開第２０１５／０２９０６０５号明細書
【発明の概要】
【発明が解決しようとする課題】
【０００４】
食材を撹拌することが、食感や食味の提供のためになされている（特許文献１）。撹拌がどれだけ細かく、あるいは均一化されてなされるかが、食感や食味に影響すると考えられる。そして、その撹拌の度合いを高めるために、薄力粉を含む生地の混練をオゾンの存在下で行うことが提案されている（特許文献２）。
液状調味料には、食肉をジューシーでソフトなものにするためのもの（特許文献３）、フライ食品と和えるのに適したもの（特許文献４）、水相と油相からなるものであって容器を振ることで油相を水相に分散させるもの（特許文献５）、ゴマ粒子を含有するものであって、軽く振ることでゴマ粒子が分散するもの（特許文献７）が提案されている。
一方、液状調味料容器としては、しなやかに変形することで排出しやすいものが提案されている（特許文献６）。
また、ヒートポンプシステムにおける撹拌装置であって、円筒状の容器内部に、螺旋バネが設けられた構造を有する撹拌装置が提案されている（特許文献８）。
さらに、サラダドレッシングを混合する撹拌組立体が提案されている（特許文献９）。【０００５】
液状調味料容器は、排出しやすい材質、形状、構造などが、提案されている（特許文献６）。しかし、分離している成分を分散させ、かつ泡立てるための構造を有する容器については、見当たらない。
その理由としては、液状調味料には、分散剤を用いている（特許文献８など）からであると考えられる。【０００６】
一般家庭において、ドレッシングなどの調味料を自家製で作る場合には、分散剤を使わない場合があると考えられる。その場合でも、使用者が手で振ることにより、液状体の撹拌機能をもつ容器を提供できる可能性があるのではないか、と本発明の発明者は考えた。
また、そのような撹拌効果を有する構造をもつ液状調味料の容器を、量産タイプの調味料にもちいると、液状調味料の設計の際に分散剤を使わないという選択が可能になり、液状調味料の設計の自由度が増す。
さらにまた、そのような液状調味料の容器は、さまざまな液状体の撹拌をするための調理用の泡立て器として機能し得る。たとえば、薄力粉を水に溶くときに、細かく均一化して泡立てることにより、お好み焼きなどのこな物の食感や、食味を独自のものにすることが可能になる。
食材を泡立てるだけでなく、飲料、たとえばミルク、青汁、スムージー、ジュース、などを泡立てることもできる。
洗顔料（洗顔液、クレンジングオイル）、ボディーソープ、整髪料（整髪用のリキッドなど）を泡立てることもできる。
洗剤(台所用洗剤、洗濯用洗剤）を泡立てることもできる。
また、建築材料などで、水に溶いて用いるものを撹拌して泡立てることにこの泡立て器を用いることが役立つ。さらに、産業機械油類の撹拌にも役立つ。【０００７】
本発明の発明者は、この種の撹拌装置の内部構造について、改良を加えることにより、さらなる効果を挙げることができる可能性があると日夜、考えをめぐらし、実験をくり返した。そして、ついに有用な構造、すなわち巻き径が一定でありピッチに疎密を有し容器内を自由に移動可能な弦巻ばねを有する泡立て器を見出した。
本発明の目的は、使用者が手で持って、横方向（水平に）振ることにより、液状体を撹拌し、泡立てる機能をもつ泡立て器を安価に提供し、その使用方法を提供することを目的とする。
【課題を解決するための手段】
【０００８】
本発明において、液状体とは、液体（たとえば、水）とそれに分散させる物（たとえば、油、粉、粒など）とが、混合された状態のものをいう。ここで、混合は、均一に混合してる状態である必要はなく、分離して存在していてもよいし、沈殿していてもよいものとする。
本発明に係る液状体の泡立て器は、分散させる物と液体とが混合された状態の液状体を収納し、振ることにより前記分散させる物を前記液体に分散させ、さらに泡立てることを実現する泡立て器であって、前記液状体及びそれを泡立てた泡を収納する上下に延びる収納部と、前記液状体を出し入れすべく、前記収納部の上部に設けられた開閉部と、前記収納部の内部に収納され、巻き径が一定であり、上端及び下端のピッチが密であり中央部が疎であり、前記収納部の内部において自由に移動可能なコイルばねと、を有することを特徴とする。
これにより、使用者は、液状体をこの泡立て器に入れて手で振ることにより、コイルばねを振動及び揺動を含む運動をさせることで、分散させる物を液体に分散させ、さらにそれを泡立てることができ、その直後に開閉部から取り出して用いることができる。コイルばねのピッチに疎密を設けたことにより、コイルばねの部分をおもりとして、振動及び揺動を持続させやすい。そして、さらにそのコイルばねのピッチが密の部分が液状体を掻き回し、剪断効果をもたらす。【０００９】
さらに、前記収納部は、中央部が広くなっており、前記泡立てた泡を収納する空間を構成することを特徴とする。
これにより、泡立てた結果の泡をより多く収納することが可能となる。【００１０】
前記収納部内の上部および下部に、衝撃吸収材を設けたことを特徴とする。
これにより、収納部内部を傷つけることを防止でき、騒音を小さくすることが可能となる。【００１１】
前記収納部の下部に下部開閉部をさらに設けたことを特徴とする。
これにより、この泡立て器を使用した後の、洗浄が楽にできる。【００１２】
本発明にかかる泡立て器は、
分散させる物と液体とが混合された状態の液状体を収納し、振ることにより前記分散させる物を前記液体に分散させ、さらに泡立てることを実現する泡立て器であって、
前記液状体及びそれを泡立てた泡を収納する上下に延びる内側の空間を有し、外側には手で握るためのグリップ形状を有する収納部と、
前記液状体を出し入れすべく、前記収納部の上部に設けられた開閉部と、
前記収納部の内部に収納され、長さが前記収納部の内側の高さの６０パーセントから８０パーセントであり、巻き径が一定であり、中央部が密で両端部が疎であるピッチを有し、前記収納部の内部において上下方向に自由に移動可能で、振動及び揺動が可能なコイルばねとを有し、
使用者が前記収納部が上下に延びる向きで上下に振ることと、前記収納部が左右に延びる向きで左右に振ることとの双方を可能にすることを特徴とする。
これにより、使用者は、液状体をこの泡立て器に入れて、長手方向が鉛直方向になるようにしてその長手方向にコイルばねが振動するように振る動作と、長手方向が水平になるようにしてその長手方向にコイルばねが振動するように振る動作との二つの動作により、コイルばねを振動及び揺動を含む運動をさせることで、分散させる物を液体に分散させ、さらにそれを泡立てることができ、その直後に開閉部から取り出して用いることができる。コイルばねのピッチに疎密を設けたことにより、コイルばねの部分をおもりとして、振動及び揺動を持続させやすい。そして、さらにそのコイルばねのピッチが密の部分が液状体を掻き回し、剪断効果をもたらす。コイルの巻き径が一定であるので、泡立て器の長手方向が水平になるような姿勢にあっては、コイルばねの中央部のピッチの密の部分は、泡立て器の内壁に沿って内容物をこするように撹拌する効果をもたらす。【００１３】
さらに、前記コイルばねの巻き径は、前記収納部の内側の径の５５パーセントから８５パーセントであることを特徴とする。
これにより、内容物全体を効率よく撹拌し、泡立てることが可能となる。【００１４】
前記コイルばねの一端又は両端にサイレンサーを設けたことを特徴とする。
これにより、使用の際の騒音を軽減できる。【００１５】
前記サイレンサーは、
前記コイルばねの端の１巻に対してその１巻がなす面状の広がりのうちの８０パーセントに当接して支えるコイルばね当接部と、
前記コイルばね当接部に対して垂直であり、前記コイルばねを構成するコイルに対しても垂直であって、前記コイルばね当接部の前記コイルばねが当接する限界の場所に設けられた二つの垂直壁である第一の垂直壁、第二の垂直壁と、
前記コイルばね当接部の前記コイルばねとは反対側に垂直に延びる円筒状の壁であって、前記コイルばねの外径を、内径とする円筒壁部と
を有し、
前記第一の垂直壁と、前記第二の垂直壁には、それぞれ前記コイルばねを構成するコイルが通ることが可能な孔を二個ずつ前記コイルばねの延びる方向に並べて設けられていることを特徴とする。
これにより、コイルばねの振動及び揺動が激しくなされても、外れにくく、しかも騒音を軽減できる。【００１６】
本発明に係る泡立て器は、さらに、バネ固定具を有し、
前記バネ固定具は、
前記コイルばねの端の１巻に対してその１巻がなす面状の広がりのうちの８０パーセントに当接して支えるコイルばね当接部と、
前記コイルばね当接部に対して垂直であり、前記コイルばねを構成するコイルに対しても垂直であって、前記コイルばね当接部の前記コイルばねが当接する限界の場所に設けられた二つの垂直壁である第一の垂直壁、第二の垂直壁と、
前記コイルばね当接部の前記コイルばねとは反対側に垂直に延びる円筒状の壁であって、前記コイルばねの外径を、内径とする円筒壁部と
前記円筒壁部の、前記コイルばね当接部とは反対側に、前記コイルばね当接部に対して平行な円板であって外側に延びる鍔（つば）を有し、
を有し、
前記第一の垂直壁と、前記第二の垂直壁には、それぞれ前記コイルばねを構成するコイルが通ることが可能な孔を二個ずつ前記コイルばねの延びる方向に並べて設けられており、
前記鍔の外径は、前記収納部の開口部の外径と同じであって、
ユーザが必要に応じて、前記サイレンサーを前記バネ固定具に取り換えて、収納部の開口部に前記コイルばねを固定して使うことを可能にしたことを特徴とする。
これにより、コイルばねを自由に振動及び揺動可能なものとして利用するだけでなく、上部を収納部の開口部に固定した状態で用いることが可能となる。【００１７】
本発明に係る泡立て器の使用方法は、前記泡立て器を用いて、液状体を泡立てる泡立て器の使用方法であって、前記収納部に分散させる物と液体とが混合された状態の液状体及び前記コイルばねを収納し、前記開閉部を閉じる収納ステップと、前記収納ステップにより、前記液状体及び前記コイルばねが収納された泡立て器を前記上下に延びる内側の空間が垂直方向になるように使用者が手に持って前記コイルばねが振動可能な上下方向の向きに繰り返し振る上下動撹拌ステップと、前記上下動ステップの後に、前記液状体及び前記コイルバネが収納された泡立て器を前記上下に延びる内側の空間が水平方向になるように使用者が手にもって前記コイルバネが振動可能な左右方向の向きに繰り返し振る左右動撹拌ステップと、前記開閉部を開けて内容物を取り出す取り出しステップとからなることを特徴とする。
これにより、垂直方向の重力を利用したダイナミックな撹拌と、水平方向にコイルばねが振動することによってコイルばねの密の部分が収納部の内壁をこすることで内容物を撹拌するより細やかな撹拌との双方を実現することができる。【００１８】
本発明に係る泡立て器の使用方法は、前記泡立て器を用いて、液状体を泡立てる泡立て器の使用方法であって、チューブに収納された洗顔フォームを１．５センチメートルから２．０センチメートルの長さだけ絞り出した物に対して、溶かし水１５ミリリットルの割合で混合された液状体であって、当該溶かし水の容量が３０ミリリットル以下であるもの及び前記コイルばねを前記収納部に収納し、前記開閉部を閉じる収納ステップと、前記収納ステップにより、前記液状体及び前記コイルばねが収納された泡立て器を前記上下に延びる内側の空間が垂直方向になるように使用者が手に持って前記コイルばねが振動可能な上下方向の向きに４０回から７５回、繰り返し振る上下動撹拌ステップと、前記上下動ステップの後に、前記液状体及び前記コイルバネが収納された泡立て器を前記上下に延びる内側の空間が水平方向になるように使用者が手にもって前記コイルバネが振動可能な左右方向の向きに４０回から７５回、繰り返し振る左右動撹拌ステップと、前記開閉部を開けて内容物を取り出す取り出しステップとからなることを特徴とする。
これにより、洗顔フォームを肌に優しく浸透し、効率的に汚れを落とすことができる泡にすることができる。【００１９】
本発明に係る泡立て器の使用方法は、前記泡立て器を用いて、液状体を泡立てる泡立て器の使用方法であって、ポンプ式容器に収納されたジェル状ハンドソープを２回から５回プッシュして出た物に対して、溶かし水１５ミリリットルの割合で混合された液状体であって、当該溶かし水の容量が３０ミリリットル以下であるもの及び前記コイルばねを前記収納部に収納し、前記開閉部を閉じる収納ステップと、前記収納ステップにより、前記液状体及び前記コイルばねが収納された泡立て器を前記上下に延びる内側の空間が垂直方向になるように使用者が手に持って前記コイルばねが振動可能な上下方向の向きに２０回から４０回、繰り返し振る上下動撹拌ステップと、前記上下動ステップの後に、前記液状体及び前記コイルバネが収納された泡立て器を前記上下に延びる内側の空間が水平方向になるように使用者が手にもって前記コイルバネが振動可能な左右方向の向きに２０回から４０回、繰り返し振る左右動撹拌ステップと、前記開閉部を開けて内容物を取り出す取り出しステップとからなることを特徴とする。
これにより、ポンプ式容器に収納されたジェル状ハンドソープを肌に優しく浸透し、効率的に汚れを落とすことができる泡にすることができる。【００２０】
本発明に係る泡立て器の使用方法は、前記泡立て器を用いて、液状体を泡立てる泡立て器の使用方法であって、ポンプ式容器に収納されたジェル状ボディソープを２回から３回プッシュして出た物に対して、溶かし水２０ミリリットルの割合で混合された液状体であって、当該溶かし水の容量が３０ミリリットル以下であるもの及び前記コイルばねを前記収納部に収納し、前記開閉部を閉じる収納ステップと、前記収納ステップにより、前記液状体及び前記コイルばねが収納された泡立て器を前記上下に延びる内側の空間が垂直方向になるように使用者が手に持って前記コイルばねが振動可能な上下方向の向きに５０回から１００回、繰り返し振る上下動撹拌ステップと、前記上下動ステップの後に、前記液状体及び前記コイルバネが収納された泡立て器を前記上下に延びる内側の空間が水平方向になるように使用者が手にもって前記コイルバネが振動可能な左右方向の向きに５０回から１００回、繰り返し振る左右動撹拌ステップと、前記開閉部を開けて内容物を取り出す取り出しステップとからなることを特徴とする。
これにより、ポンプ式容器に収納されたジェル状ボディソープを肌に優しく浸透し、効率的に汚れを落とすことができる泡にすることができる。【００２１】
本発明に係る泡立て器の使用方法は、前記泡立て器を用いて、液状体を泡立てる泡立て器の使用方法であって、ポンプ式容器に収納されたジェル状シャンプーを１回から２回プッシュして出た物に対して、溶かし水２０ミリリットルの割合で混合された液状体であって、当該溶かし水の容量が３０ミリリットル以下であるもの及び前記コイルばねを前記収納部に収納し、前記開閉部を閉じる収納ステップと、前記収納ステップにより、前記液状体及び前記コイルばねが収納された泡立て器を前記上下に延びる内側の空間が垂直方向になるように使用者が手に持って前記コイルばねが振動可能な上下方向の向きに４０回から７５回、繰り返し振る上下動撹拌ステップと、前記上下動ステップの後に、前記液状体及び前記コイルバネが収納された泡立て器を前記上下に延びる内側の空間が水平方向になるように使用者が手にもって前記コイルバネが振動可能な左右方向の向きに４０回から７５回、繰り返し振る左右動撹拌ステップと、前記開閉部を開けて内容物を取り出す取り出しステップとからなることを特徴とする。
これにより、ポンプ式容器に収納されたジェル状シャンプーを頭皮に優しく浸透し、効率的に汚れを落とすことができる泡にすることができる。【００２２】
本発明に係る泡立て器の使用方法は、前記泡立て器を用いて、液状体を泡立てる泡立て器の使用方法であって、プッシュ式容器に収納されたジェル状台所洗剤を３回から４回プッシュして出た物に対して、溶かし水２０ミリリットルの割合で混合された液状体であって、当該溶かし水の容量が２０ミリリットル以下であるもの及び前記コイルばねを前記収納部に収納し、前記開閉部を閉じる収納ステップと、前記収納ステップにより、前記液状体及び前記コイルばねが収納された泡立て器を前記上下に延びる内側の空間が垂直方向になるように使用者が手に持って前記コイルばねが振動可能な上下方向の向きに４０回から７５回、繰り返し振る上下動撹拌ステップと、前記上下動ステップの後に、前記液状体及び前記コイルバネが収納された泡立て器を前記上下に延びる内側の空間が水平方向になるように使用者が手にもって前記コイルバネが振動可能な左右方向の向きに４０回から７５回、繰り返し振る左右動撹拌ステップと、前記開閉部を開けて内容物を取り出す取り出しステップとからなることを特徴とする。
これにより、プッシュ式容器に収納されたジェル状台所洗剤を効率的に汚れを落とすことができる泡にすることができる。【００２３】
本発明に係る泡立て器の使用方法は、前記泡立て器を用いて、液状体を泡立てる泡立て器の使用方法であって、固形の洗顔せっけんを家庭用のおろし器を用いて粉にする粉せっけん製造ステップと、前記粉せっけん製造ステップにて製造された粉せっけんを３０ミリリットル以下の溶かし水と混合した液状体及び前記コイルばねを前記収納部に収納し、前記開閉部を閉じる収納ステップと、前記収納ステップにより、前記液状体及び前記コイルばねが収納された泡立て器を前記上下に延びる内側の空間が垂直方向になるように使用者が手に持って前記コイルばねが振動可能な上下方向の向きに４０回から１００回、繰り返し振る上下動撹拌ステップと、前記上下動ステップの後に、前記液状体及び前記コイルバネが収納された泡立て器を前記上下に延びる内側の空間が水平方向になるように使用者が手にもって前記コイルバネが振動可能な左右方向の向きに４０回から１００回、繰り返し振る左右動撹拌ステップと、前記開閉部を開けて内容物を取り出す取り出しステップとからなる。
これにより、固形の洗顔せっけんを肌に優しく浸透し、効率的に汚れを落とすことができる泡にすることができる。【００２４】
また、前記取り出しステップの後に、前記取り出しステップにて取り出した内容物を使用者が手に取って手もみする手もみステップを加えて、しっとりクリーミー泡の状態をふわふわクリーミー泡に変化させることを特徴とする。
これにより、ふわふわクリーミー泡にすることができる。【００２５】
本発明に係る泡立て器の撹拌方法は、前記泡立て器を用いて、粉状体を液体に溶かす撹拌方法であって、前記収納部に粉状体と液体と前記コイルばねとを収納し、前記開閉部を閉じる収納ステップと、前記収納ステップにより、前記粉状体と液体と前記コイルばねが収納された泡立て器を前記上下に延びる内側の空間が垂直方向になるように使用者が手に持って前記コイルばねが振動可能な上下方向の向きに繰り返し振る上下動撹拌ステップと、前記上下動ステップの後に、前記粉状体と液体と前記コイルバネが収納された泡立て器を前記上下に延びる内側の空間が水平方向になるように使用者が手にもって前記コイルバネが振動可能な左右方向の向きに繰り返し振る左右動撹拌ステップと、前記開閉部を開けて内容物を取り出す取り出しステップとからなる。
これにより、プロテインの粉末のように泡立たないものであっても、きめ細かな撹拌が可能となる。
【発明の効果】
【００２６】
本発明に係る泡立て器は、使用者が液状体をこの泡立て器に入れて手で振ることにより、コイルばねを振動及び揺動を含む運動をさせることで、分散させる物を液体に分散させ、泡立てて、その直後に開閉部から取り出して用いることができるという効果を有する。
使用者は、液状体をこの泡立て器に入れて、長手方向が鉛直方向になるようにしてその長手方向にコイルばねが振動するように振る動作と、長手方向が水平になるようにしてその長手方向にコイルばねが振動するように振る動作との二つの動作により、コイルばねを振動及び揺動を含む運動をさせることで、分散させる物を液体に分散させ、さらにそれを泡立てることができ、その直後に開閉部から取り出して用いることができる。コイルばねのピッチに疎密を設けたことにより、コイルばねの部分をおもりとして、振動及び揺動を持続させやすい。そして、さらにそのコイルばねのピッチが密の部分が液状体を掻き回し、剪断効果をもたらす。コイルの巻き径が一定であるので、泡立て器の長手方向が水平になるような姿勢にあっては、コイルばねの中央部のピッチの密の部分は、泡立て器の内壁に沿って内容物をこするように撹拌する効果をもたらす。
【図面の簡単な説明】
【００２７】
【図１】泡立て器の構成を示す図である。
【図２】泡立て器を構成する各部品を示す図である。
【図３】コイルバネの疎密について説明する図である。
【図４】洗顔剤を泡立てた５分後、１５分後、３０分後の様子を示す図である。
【図５】泡立て器の実施形態２、上部開閉部にねじ式で上下動するキャップを設けた泡立て器の図である。
【図６】泡立て器の実施形態２の上部開閉部に設けられた泡取出し口を示す図である。
【図７】泡立て器の実施形態２の上部開閉部を開けた様子を示す図である。
【図８】コイルばね２０の図である。
【図９】泡立て器の実施形態３を外から見た図である。
【図１０】泡立て器の実施形態３を外から見た図である。
【図１１】泡立て器の実施形態３を外から見た図である。
【図１２】泡立て器の実施形態３の上部開閉部に設けられたふた部と受け部とを示す図である。
【図１３】泡立て器の実施形態３の上部開閉部を開けた様子を示す図である。
【図１４】泡立て器の実施形態３の各部分を示す図である。
【図１５】コイルばねのピッチの疎密について説明する図である。
【図１６】原液と溶かし水の配合表である。
【図１７】自由稼働バネ泡立て試験の図である。
【図１８】自由稼働バネ泡立て試験の図である。
【図１９】自由稼働バネ泡立て（しっとり〜ふわふわ）試験の図である。
【図２０】自由稼働バネ泡立て（ふわふわ実証）試験の図である。
【図２１】自由稼働バネ泡立て（ふわふわ実証）試験の図である。
【図２２】自由稼働バネ泡立て（ふわふわ実証）試験の図である。
【図２３】自由稼働バネ泡立て（１０円玉表面洗浄効果）試験の図である。
【図２４】粉せっけん製造の図である。
【図２５】比較例として、従来品（ふんわりリッチ）の試験の図である。
【図２６】比較例として、従来品（ふんわりリッチ）の試験の図である。
【図２７】サイレンサーを示す斜視図である。
【図２８】サイレンサーを自由稼働バネに装着する様子を示した図である。
【図２９】サイレンサーの鍔（つば）の部分を広くしたもの（バネ固定具）を示す斜視図である。
【図３０】バネ固定具を用いて泡立て器の上部にバネを固定する様子を示した図である。
【発明を実施するための形態】
【００２８】
以下、図面を参照しつつ本発明の実施形態について説明する。図中の符号が同一のものは、同様の構成、機能を有する。
【００２９】
＜実施形態１＞
＜構成＞
図１は、本発明に係る泡立て器の構成を示す図である。収納部１０は、液状体を収納することができる容器である。望ましくは、ポリエチレンやポリプロピレンなどの透明又は半透明の素材からなり、内容物の分離、沈殿、分散などの状況が視覚にて確認できるようになっている。また、望ましくは、収納部１０は、自立可能な形状であり、たとえば冷蔵庫内に立てて置くことができるようになっている。
図１に描いた収納部の大きさは、例えば、高さが１５０ミリメートル、直径が６０ミリメートルのものとすることができる。
直径５０ミリメートルから７０ミリメートル、高さ１５０ミリメートルから１７０ミリメートル、容量が２８０ミリメートルから４００ミリメートル程度が、人が持って振るのに適切である。
図１に描いた収納部１０の形状は、円柱に近いものを描いたが、他の形状であってもよい。泡を収納する容量を増やすために、中央部をやや広くする。泡立て器を振る際に手から滑り落ちるのを防止するために、中央部を握りやすい形状、たとえば指をあててグリップしやすい形状にする。などが考えられる。
【００３０】
収納部１０の上部には、上部開閉部１１が設けられ、収納部１０に液状体を出し入れ可能となっている。ここでは、ネジ式のキャップにて上部開閉部１１を構成している。そして、上部開閉部１１には、泡を取り出す管がついており、その管の先端にさらにキャップを設けて、そのキャップの開け閉めで泡を出し入れできる。上部開閉部１１を収納部１０に締めた状態、そして、手で振っても、内容物がこぼれないような密閉性を保持することができるものであることが望ましい。締めた状態における密閉性を保持できれば、ネジ式にかぎらず、嵌め込み式などの他の開閉部を用いることもできる。
図１では、下部開閉部１２が設けられる例を描いている。下部開閉部１２を設けない構成も可能であり、その場合は、収納部１０は、底を有する形状となる。下部開閉部１２を設けることで、収納部１０の使用後、使用前の洗浄が容易になる。また、後述する衝撃吸収材を取り付けたり、交換したりという作業も楽にできるという利点がある。
上部開閉部１１、下部開閉部１２ともに、ポリエチレンやポリプロピレンなどの樹脂により成型することができる。なお、上部開閉部に設ける泡の取り出し口は、丸い孔以外に、星の形など、好みの形にすることができる。
【００３１】
コイルばね２０は、収納部１０の内部に置かれるものであるので、図１では破線で描いている。コイルばね２０の設計（ピッチの疎密、コイルばねを構成する線径）については図３を参照しつつ後述する。コイルばね２０は、収納部１０の内部を自由に移動可能となるように、どこにも固定されない状態で置かれる。すなわち、自由に振動及び揺動を含む運動が可能となっている。コイルばね２０の材質は、たとえば、鉄（鋼）、ステンレス、チタン、チタン合金、アルミニウム、プラスチックなどを用いることができる。コイルばね２０を構成する線は、その表面がさまざまな面を有して凹凸を持つようにしてもよい。コイルばね２０を構成する線の両端は、収納部１０の内側を傷つけないように、丸める加工をすることが望ましい。例えば酸洗いすることが考えられる。
【００３２】
コイルばね２０は、巻き径が一定のコイルばねである。その巻き径は、図１に示すように、収納部１０の内側の水平方向の大きさよりも小さい大きさであって、泡立て器を使用者が手に持って振るときに、コイルばね２０が、振動及び揺動を含む運動が可能な空間的な余地があるようになっている。ここで、振動は、コイルばね２０の伸び縮みの方向に動くことをいい、揺動は、伸び縮みの方向とは垂直の方向に揺れる動きをいうものとする。
コイルばね２０の長さは、収納部２０の内側の高さの５０パーセントから７０パーセントが望ましい。短すぎると、液状体全体の撹拌効率が小さくなる。長すぎると、振動及び揺動を含む運動の自由度が狭くなる。
コイルばね２０が、揺動及び振動し、液状体に対する剪断効果を奏する。また、コイルばね２０の表面がさまざまな面を有して、凹凸をもつようにする場合は、コイルばね２０の表面形状によっても液状体に対する剪断効果を奏する。この結果、液状体が微細化、均一化され、分散を促進する。
【００３３】
衝撃吸収材３１，３２，３３は、収納部１０の内部、上部開閉部１１の内部、下部開閉部１２の内部をコイルばね２０の激しい動きによって傷つけるのを防止し、ぶつかる際の騒音を小さくする目的で設けられる。上部開閉部１１の側に設けられる衝撃吸収材３１は、ドーナツ形状をしている。管を通じて泡を出すために中央に穴が必要だからである。
衝撃吸収材３１，３２，３３は、パッキンの役目を兼用することができる。すなわち上部開閉部１１、下部開閉部１２をそれぞれ締めた際に、液体を含む内容物が外に漏れ出ることがないように働く。
上部開閉部１１の側には、衝撃吸収材３１を一枚設けて、下部開閉部１２の側には、衝撃吸収材を二枚設けている。コイルばね２０を振る際の衝撃は、重力を加味しただけの力が下部開閉部１２にはかかるからである。
【００３４】
図２は、本発明の泡立て器を構成する部品を示す図である。収納部１０の上部、及び下部には、ネジきりがなされて、上部開閉部１１、下部開閉部１２が、それぞれネジの切られたキャップとして構成されている。そして、上部開閉部１１の内側には、衝撃吸収材３１が設けられ、下部開閉部１２の内側には衝撃吸収材３２，３３が設けられる。
コイルばね２０は、図２に見られるように、巻き径が一定であり、そのピッチに疎密を有するコイルばねである。コイルばねの上部及び下部が密のピッチであり、中央部が疎のピッチである。このことについては、図３を参照しつつ、詳述する。
【００３５】
図３は、コイルばねのピッチの疎密、コイルばねを構成する線径について、詳しく述べる図である。ここでは、材質をステンレスＳＵＳ３０４を用いている。
図３(a)に示すコイルばねは、バネを構成する線径が１．８ミリメートルであり、外形（巻き径）が４０ミリメートル。ばねの自然長（横に置いた時の長さ）が９２．６ミリメートル。両端の空き無しで密巻きにした部分の長さは１０．ミリメートル。中央部の部分（ピッチが疎の部分）は、７１．０ミリメートルの長さであり、２７巻き×１．８ミリメートル+アキ２８カ所×０．８ミリメートル＝４８．６ミリメートル＋２２．４ミリメートルである。
図３(b)に示すコイルばねは、バネを構成する線径が１．６ミリメートルであり、外形（巻き径）が４０ミリメートル。ばねの自然長（横に置いた時の長さ）が８８．０ミリメートル。両端の空き無しで密巻きにした部分の長さは１１．２ミリメートル。中央部の部分（ピッチが疎の部分）は、６５．６ミリメートルの長さであり、２７巻き×１．６ミリメートル+アキ２８カ所×０．８ミリメートル＝４３．２ミリメートル＋２２．４ミリメートルである。
図３(c)に示すコイルばねは、バネを構成する線径が１．５ミリメートルであり、外形（巻き径）が４０ミリメートル。ばねの自然長（横に置いた時の長さ）が８６．２ミリメートル。両端の空き無しで密巻きにした部分の長さは１０．５ミリメートル。中央部の部分（ピッチが疎の部分）は、６５．２ミリメートルの長さであり、２８巻き×１．５ミリメートル+アキ２９カ所×０．８ミリメートル＝４２．０ミリメートル＋２３．２ミリメートルである。
図３(d)に示すコイルばねは、バネを構成する線径が１．４ミリメートルであり、外形（巻き径）が４０ミリメートル。ばねの自然長（横に置いた時の長さ）が８４．８ミリメートル。両端の空き無しで密巻きにした部分の長さは１１．２ミリメートル。中央部の部分（ピッチが疎の部分）は、６２．４ミリメートルの長さであり、２８巻き×１．４ミリメートル+アキ２９カ所×０．８ミリメートル＝３９．２ミリメートル＋２３．２ミリメートルである。
【００３６】
バネの線径は、１．０ミリメートルから１．８ミリメートルを用いることができる。ハンドソープ、洗顔料、台所洗剤などの洗浄剤を泡立てるには、バネの線径が１．４ミリメートルから１．５ミリメートルのものが適している。
大根おろし、玉ねぎのみじん切り、ドレッシング、すりごま、などの食品に用いるには、ばねの線径が１．６ミリメートルから１．８ミリメートルのものが適している。
ばねの自然長は、８０ミリメートルから９５ミリメートルのものが適しており、収納部１０の長さに対する比率でいうと、５０％から７０％に該当する。
ばねのピッチは、両端部が密巻き（間を開けない巻き方）で６巻きから８巻き、中央部は、ばね線間のアキが０．８ミリメートルから１．０ミリメートルが好ましい。
両端部が密巻きであって、中央部が疎であることにより、コイルばねの振動及び揺動が長く持続しやすい。収納部を上下に振る際に、バネは収納部内で上下運動（振動）する。この時、バネ両端の密巻きは上下運動の重りになり上部開閉部、下部開閉部のそれぞれの内側にぶつかる際に、ばね中央部のピッチの大きいばね部分が伸縮する。それによりコイルばねの運動に弾みがつき、使用者が泡立て器を振る動作をしやすくなる。
【００３７】
＜作用・機序＞
本発明に係る泡立て器の作用・機序は、二つの観点から説明できる。
第一に、コイルばねが振動・揺動することで、液状体をかき回すことである。これにより、油のかたまり、粒のかたまり、沈殿物のかたまりなどをせん断して小さくし、液状体に分散させる。
第二に、音の倍音共鳴（スケーリング共鳴）による作用・機序が考えられる。
本発明に係る泡立て器に、液状体を収納し、開閉部を締めて、使用者が手に持って振ると、コイルばねに衝撃が加わる。そして、その衝撃により、コイルばねが振動及び揺動する。その振動及び揺動が伝わっていくことで、音（可聴域のものに限らず、それよりも低い音、あるいはそれよりも高い音の可能性を含む）が生じる。使用者が複数回にわたって泡立て器を振ると、この音も持続的に生じ続ける。
一方、液状体に混在している油のかたまり、粒のかたまり、沈殿物のかたまりなどは、分子のクラスタとして存在していると考えられる。そして、それらがぶつかり合う際にも、音が生じる。
コイルばねの振動及び揺動により生じる音と、液状体に混在している分子のクラスタ同士がぶつかる際に生じる音とは、倍音（高調波）の関係になり得る。バネの振動、揺動により発生する音の倍音（高調波）が、液状体に混在している分子のクラスタのぶつかり合いに倍音共鳴（スケーリング共鳴）を起こすことがなされる。それにより液状体の混合撹拌、ひいては油、粒、沈殿物などの分散が促進される。
ここで、スケーリング共鳴は、数十オクターブ上の高調波（倍音）において、共鳴をする現象である。「タンパク質の音楽」（深川洋一著  ちくまプリマーブックス）に用いられている概念である。
共振と共鳴とは、似た概念であるが、本明細書においては、切り分けて考えることにする。たとえば、同じ金属枠（固体）に固定された二つの弦が、片方を振動させたときに、他方も振動する。この場合は、振動が木の金属枠という固体を通じて伝わるので、共振である。他方で、水や空気など（流体）をつたって音がつたわってその結果振動するのは、共鳴である。
本発明に係る泡立て器の場合、コイルばねから、油、粒、沈殿物などの分子に振動がつたわるのは、流体（液状体）を介してなされる。したがって、共鳴というべきである。そこで、音の倍音共鳴又はスケーリング共鳴が機能していると考えられる。
本発明に係る泡立て器において、液状体のマクロの挙動に着目すると、液状体は、使用者が振ることによって、動いて、コイルばねに衝撃を与えて、コイルばねを振動・揺動させる働きをする。一方、液状体のミクロの挙動に着目すると、液状体に含まれる油、粒、沈殿物などのクラスタ（分子がいくつかくっついたかたまり）が、倍音共鳴又はスケーリング共鳴により、そのクラスタの大きさを小さくするように力を受ける。これによりせん断効果を受けて、油、粒、沈殿物などがそのクラスタを小さくして、均一混合をする。
【００３８】
≪建築材料、洗剤、整髪料、洗顔液への応用≫
液状体は、食材にかぎらない。たとえば、建築材料で水に分散させて（溶いて）用いるものにも用いることができる。また、洗剤（液体洗剤、粉洗剤を水に溶いたもの）、整髪料（整髪用のリキッドなど）、洗顔液（クレンジングオイルなど）にも応用できる。
【００３９】
さらに、産業機械油類にも適用できる。この泡立て器を使用して均一化した産業機械油類を機械に使用することで、機械の効率的な運用を図ることができる。ここで、産業は、化学工業、建設業、食品加工業など、さまざまな産業を含む。そして、産業機械は、産業車両など自走式の機械と、固定式の機械の双方を含む。具体的には、油圧ポンプ、ボイラ、原動機などを含む。機械油は、油圧ポンプにおける作動油、他の機械における潤滑油を含む。
特に、建設業の現場において用いる油圧ポンプ、油圧装置においては、現場において機械油を補充する必要が生じる。その場合に、補充に必要な油を均一化させて充填するのに、本発明に係る泡立て器が役立つ。
【００４０】
≪調理用泡立て器、液状体の容器、調味料容器への適用≫
本発明の泡立て器は、調理用泡立て器、液状体の容器、調味料容器への適用が可能である。
【００４１】
図４は、市販されている洗顔剤を泡立てた５分後、１５分後、３０分後の泡の様子を示す図である。水道水を１０ミリリットル、この泡立て器に入れ、洗顔剤をチューブから１センチメートルほどのながさ取り出してコイルばねにつけて、ばねを収納部のなかに落とし、上部開閉部を閉じる。その後、使用者が泡立て器を手にもって、上下に５０回振る。その後、できた泡を取り出して、５分経った状態を示すのが、図４(a)。１５分経った状態を示すのが図４(b)。３０分経った状態を示すのが図４(c)である。３０分経過しても、粘性の高い泡の状態を保っていることがわかる。
【００４２】
≪台所洗剤を泡立てて用いる≫
この泡立て器でつくった泡を、他の密閉容器に保存しておいて、あとで用いることも可能である。たとえば、台所洗剤をこの泡立て器で泡立てたものを密閉容器に保存しておいて使うようにすると、鍋や食器の油汚れを落としやすい。
従来だと、スポンジで泡立てて台所洗剤を用いることがあったが、洗剤を含むスポンジをそのままにしておくと、カビが発生する可能性があった。スポンジは、使用の都度、洗って乾かさないとカビの発生を防止できない。それに比べて本発明の泡立て器により作った泡は、カビとは無縁の泡であり、台所の油落としに大いに役立つものとなる。
【００４３】
≪洗顔剤を泡立てる≫
チューブに入って販売されている市販の洗顔剤は、通常、手のひらにとってから伸ばして顔に塗り、そのあと水で流して用いる。その場合、一回の使用量がチューブから出した長さで２センチメートルほどである。
それに対し、本発明の泡立て器を用いる場合には、洗顔剤をチューブから１センチメートルほど出して、水１０ミリリットルをもちいて、泡立てた泡を用いれば、十分に洗顔が可能である。すなわち、洗顔剤を半分の量だけ用いて洗顔できるので、節約にもなる。また、泡立て器で細かに剪断されているので、皮膚の奥にある汚れを落とす効果も期待できる。
【００４４】
＜実施形態２：上部開閉部にねじ式で上下動するキャップ（上部開閉部１１１）を設けたもの＞
図５は、本発明の実施形態２に係る泡立て器の構成を示す図である。収納部１１０は、液状体を収納することができる容器である。望ましくは、ポリエチレンやポリプロピレンなどの透明又は半透明の素材からなり、内容物の分離、沈殿、分散などの状況が視覚にて確認できるようになっている。また、望ましくは、収納部１１０は、自立可能な形状であり、たとえば冷蔵庫内に立てて置くことができるようになっている。図５に描いたものでは、底が丸みを帯びているが、望ましくは座りのよい形状、たとえば底がやや広がる形状にすることができる。
図５に描いた収納部の大きさは、例えば、高さが１３０ミリメートルから１８０ミリメートル、直径が５０ミリメートルから７０ミリメートルのものとすることができる。
望ましくは、直径５０ミリメートルから７０ミリメートル、高さ１５０ミリメートルから１７０ミリメートル、容量が２８０ミリメートルから４００ミリメートル程度が、人が持って振るのに適切である。
図５に描いた収納部１１０の形状は、円柱に近いものを描いたが、他の形状であってもよい。泡を収納する容量を増やすために、中央部をやや広くすることもできる。また、後述するように、この収納部１１０は、長手方向が上下になるように持つだけでなく、水平になるように持って、コイルばね１２０が振動するように移動するものであるので、収納部１１０の内壁は、コイルばね１２０が滑ることができ、内容物である液状体を十分に撹拌できる効果を得られるような構造及び形状であることが望ましい。泡立て器を振る際に手から滑り落ちるのを防止するために、中央部を握りやすい形状、たとえば指をあててグリップしやすい形状にする。などが考えられる。
【００４５】
図６は、泡立て器の実施形態２の上部開閉部１１１に設けられた泡取出し口１１１ｃを示す図である。上部開閉部１１１には、泡を取り出す泡取出し口１１１ｃがついており、図６(a)、(b)に示すツマミ部１１１ａ、１１１ｂに使用者が指をかけて回すことで、泡取出し口１１１ｃの開閉がなされるようになっている。望ましくは、開放状態と、閉鎖状態とのそれぞれで、ロックがなされる。
図７は、泡立て器の実施形態２の上部開閉部１１１を開けた様子を示す図である。収納部１１０の上部に設けられた上部開閉部１１１は、閉めた状態にあっては、収納部１１０に液状体を密閉状態で保存可能となっている。上部開閉部１１１の内側にネジを切ってあって、収納部１１０の上部に切ったネジとで開け閉めが実現できる構成になっている。上部開閉部１１１を収納部１１０に締めた状態では、手で振っても内容物がこぼれないような密閉性を保持することができる。締めた状態における密閉性を保持できれば、ネジ式にかぎらず、嵌め込み式などの他の開閉部を用いることもできる。
図７に描かれているように、収納部１１０には、コイルばね１２０が自由に移動可能な状態で置かれる。上部開閉部１１１は、ポリエチレンやポリプロピレンなどの樹脂により成型することができる。なお、上部開閉部に設ける泡の取り出し口は、丸い孔以外に、星の形など、好みの形にすることができる。
【００４６】
図８は、コイルばね１２０を描いた図である。コイルばね１２０は、収納部１１０の内部に置かれるものである。コイルばね１２０は、中央部にピッチが密の部分があり、両端（中央部以外の部分）は、ピッチが疎である。その設計（ピッチの疎密、コイルばねを構成する線径）については図１５を参照しつつ後述する。コイルばね１２０は、収納部１１０の内部を自由に移動可能となるように、どこにも固定されない状態で置かれる。すなわち、自由に振動及び揺動を含む運動が可能となっている。コイルばね１２０の材質は、たとえば、鉄（鋼）、ステンレス、チタン、チタン合金、アルミニウム、プラスチックなどを用いることができる。コイルばね１２０を構成する線は、その表面がさまざまな面を有して凹凸を持つようにしてもよい。コイルばね１２０を構成する線の両端は、収納部１１０の内側を傷つけないように、丸める加工をすることが望ましい。例えば酸洗いすることが考えられる。
【００４７】
コイルばね１２０は、巻き径が一定のコイルばねである。その巻き径は、図５及び図７に示すように、収納部１１０の内側の水平方向の大きさよりも小さい大きさであって、泡立て器を使用者が手に持って振るときに、コイルばね１２０が、振動及び揺動を含む運動が可能な空間的な余地があるようになっている。ここで、振動は、コイルばね１２０の伸び縮みの方向に動くことをいい、揺動は、伸び縮みの方向とは垂直の方向に揺れる動きをいうものとする。
コイルばね１２０の長さは、収納部１１０の内側の高さの６０パーセントから８０パーセントが望ましい。短すぎると、液状体全体の撹拌効率が小さくなる。長すぎると、振動及び揺動を含む運動の自由度が狭くなる。
コイルばね１２０が、揺動及び振動し、液状体に対する剪断効果を奏する。また、コイルばね１２０の表面がさまざまな面を有して、凹凸をもつようにする場合は、コイルばね１２０の表面形状によっても液状体に対する剪断効果を奏する。この結果、液状体が微細化、均一化され、分散を促進する。
【００４８】
≪実施形態３：キャップが受け部に嵌まるものを設けたもの≫
図９、図１０、図１１は、泡立て器の実施形態３を外から見た図である。収納部１１０には、グリップ部１１０ｂ、１１０ｃが設けられている。使用者が握りやすい形状、指をあてることができる形状となっている。
図１２には、泡立て器の実施形態３の上部開閉部に設けられたふた部１１２ａと受け部１１２ｂとを示す。図１１２(a)では、ふた部１１２ａが、受け部１１２ｂに嵌まっている状態であり、内容物が出てこないように密封されている。図１２(b)では、ふた部１１２ａが開いていて、泡取出し口１１２ｃから内容物を取り出せる状態を示している。図１２(b)に描かれているように、ふた部１１２ａの裏側には、泡取出し口１１２ｃの穴をふさぐ突起が設けられており、ふた部１１２ａが閉まる状態にあっては、当該突起が泡取出し口１１２ｃをふさぐ。
図１３には、上部開閉部１１２を収納部１１０から外した状態を示している。上部開閉部１１２の内側と、収納部１１０の外側とに切られたネジにより、密閉状態が保たれる。図１３(b)には、コイルばね１２０が収納されている状態が示されている。
図１４は、泡立て器の実施形態３を構成する部品を示す図である。収納部１１０の上部には、ネジきりがなされて、上部開閉部１１２が、ネジの切られたキャップとして構成されている。
【００４９】
図１５は、コイルばねのピッチの疎密、コイルばねを構成する線径について説明する図である。材質をステンレスＳＵＳ３０４を用いている。線径については、１．２ミリメートル、１．３ミリメートル、１．４ミリメートル、１．５ミリメートル、１．６ミリメートルについて、試したところ、効果がみられることが判明した。ここでは、特に、１．４ミリメートル、１．３ミリメートルのものについて、詳しい図を載せる。
図１５(a)に示すコイルばねは、バネを構成する線径が１．４ミリメートルであり、外形（巻き径）が３６ミリメートル。ばねの自然長（横に置いた時の長さ）が１２８．４ミリメートル。両端はアキが０．８ミリメートルで密巻きにした部分の長さは１４ミリメートル。両端の部分（ピッチが疎の部分）は、それぞれ５７．２ミリメートルの長さであり、２６巻き×１．４ミリメートル+アキ２６カ所×０．８ミリメートル＝３６．４ミリメートル＋２０．８ミリメートルである。
図１５(b)に示すコイルばねは、バネを構成する線径が１．３ミリメートルであり、外形（巻き径）が３６ミリメートル。ばねの自然長（横に置いた時の長さ）が１３０．６ミリメートル。両端はアキが０．８ミリメートルで密巻きにした部分の長さは１３ミリメートル。両端の部分（ピッチが疎の部分）は、５８．８ミリメートルの長さであり、２８巻き×１．３ミリメートル+アキ２８カ所×０．８ミリメートル＝３６．４ミリメートル＋２２．４ミリメートルである。
コイルの長さ（自然長）については、収納部１０の内側の高さの６０パーセントから８０パーセントが望ましいことが分かった。コイルばねの巻き径は、収納部の内側の径の５５パーセントから８５パーセントが適している。
【００５０】
図１６は、原液と溶かし水の配合表である。課題解決手段に文章で載せた内容を表にしたものである。
【００５１】
図１７は、自由稼働バネ泡立て試験の図である。図１７（ａ）は、せっけん粉を小さじ一杯、溶かし水を２０ミリリットル、本発明に係る泡立て器（中央が密で両端が疎のコイルばね１２０を有するもの）を準備した状態を示す。図１７（ｂ）は、泡立て器の収納部１１０にコイルばね１２０、せっけん粉小さじ１杯、溶かし水２０ミリリットルを入れて、開閉部１２を閉じた状態を示す。図１７（ｃ）は、１００回撹拌した状態を示す。
図１８は、自由稼働バネ泡立て試験の図である。図１８（ｄ）は、２００回撹拌した状態を示す。図１８（ｅ）は、３００回攪拌した状態を示す。図１８（ｆ）は、３００回撹拌した後の内容物を取り出してその寸法を計測した様子を示す。底部の横の長さが１１．０センチメートル、底部の縦の長さが１１．０センチメートル、泡の高さが４．０センチメートルである。
図１９は、自由稼働バネ泡立て（しっとり〜ふわふわ）試験の図である。図１９（ａ）は、せっけん粉を小さじ一杯、溶かし水を２０ミリリットル、本発明に係る泡立て器（中央が密で両端が疎のコイルばね２０を有するもの）を準備した状態を示す。図１９（ｂ）は、３００回撹拌した後の内容物（しっとりクリーミー泡）を取り出してその寸法を計測した様子を示す。底部の横の長さが１１．０センチメートル、底部の縦の長さが１１．０センチメートル、泡の高さが４．０センチメートルである。図１９（ｃ）は、泡立て器を用いて３００回撹拌してできた泡を取り出して外気中で手もみ６０秒行った後の泡（ふわふわクリーミー泡）を示す。底部横の長さが８．０センチメートル、底部縦の長さが８．０センチメートル、泡の高さが６．５センチメートルである。
図２０は、自由稼働バネ泡立て（ふわふわ実証）試験の図である。図２０（ａ）は、せっけん粉小さじ１杯、溶かし水２０ミリリットルを入れて３００回撹拌後の泡を外気中で手もみ６０秒行った泡（ふわふわクリーミー泡）を示す。底部横の長さが８．０センチメートル、底部縦の長さが８．０センチメートル、泡の高さが６．５センチメートルである。図２０（ｂ）は、ふわふわクリーミー泡を均した状態、すなわち底部横長さ１０．０センチメートル、底部縦長さ１０．０センチメートル、泡の高さ３．０センチメートルとして、泡の上に１０円玉を置き、沈下測定を３分間実施し始めたところを示す。図２０（ｃ）は、３０秒経過後の状態を示す。１０円玉は、１．０センチメートル沈下している。
図２１は、自由稼働バネ泡立て（ふわふわ実証）試験の図である。図２１（ｄ）は、１分００秒経過後の状態を示す。１０円玉は、２．０センチメートル沈下している。図２１（ｅ）は、１分３０秒経過後の状態を示す。１０円玉は、２．３センチメートル沈下している。図２１（ｆ）は、２分００秒経過後の状態を示す。１０円玉は、２．６センチメートル沈下している。
図２２は、自由稼働バネ泡立て（ふわふわ実証）試験の図である。図２２（ｇ）は、２分３０秒経過後の状態を示す。１０円玉は、２．６センチメートル沈下している。図２２（ｈ）は、３分００秒経過後の状態を示す。１０円玉は、２．６センチメートル沈下している。泡の高さが３．０センチメートルであるのに対し、１０円玉の沈下は、２．６センチメートルで止まっていることがわかる。このことから、ふわふわクリーミー泡の粘り気、粘度があることが認められる。
図２３は、自由稼働バネ泡立て（１０円玉表面洗浄効果）試験の図である。上述の１０円玉の沈下測定を行った後、２０時間放置したところ、２０時間経過後の１０円玉は表面が洗浄され、輝いて光沢感がある。この実験では、こすったりはせずに、単に３分の沈下測定実験をしただけのものである。比較のために、同程度の汚れをもっていた１０円玉（銅貨）とともに写真を撮影した。図２３(a)は、沈下測定実験直後に泡から取り出した１０円玉と、比較する１０円玉とを並べた写真である。右が沈下測定に用いた１０円玉であり、左が比較する１０円玉である。図２３（ｂ）は、さらに３０分経過して、泡の沈下の跡が消えた状態を示す。図２３（ｃ）は、拡大した写真である。
図２４は、図１７から図２３に示した実験に使用した粉せっけんを製造する方法を示す図である。図２４（ａ）は、原材料である洗顔用の固形せっけんを示す。図２４（ｂ）は、固形せっけんを家庭用のおろし器で粉にするようすを示す。図２４（ｃ）は、できた粉せっけんを示す。
図２５は、比較例として、従来品（ふんわりリッチ）の試験の図である。この泡立て器は、１００円で購入可能な泡立て器である。多数の穴があいた円盤状の撹拌板が上部からの操作により上下運動及び水平方向の回転運動が可能になっている。図２５(ａ)は、せっけん粉小さじ一杯と溶かし水２０ミリリットルと、従来品の泡立て器とを準備した状態を示す。図２５（ｂ）は、従来品の泡立て器にせっけん粉小さじ１杯と溶かし水２０ミリリットルとを入れ、円盤状の撹拌板と上部のふたとをセットした状態を示す。図２５（ｃ）は、泡立てを１００回撹拌した状態を示す。
図２６は、比較例として、従来品（ふんわりリッチ）の試験の図である。図２６（ｄ）は、泡立てを２００回撹拌した状態を示す。図２６（ｅ）は、泡立てを３００回攪拌した状態を示す。図２６（ｆ）は、３００回撹拌した後の内容物を取り出してその寸法を計測した様子を示す。底部の横の長さが１３．０センチメートル、底部の縦の長さが１３．０センチメートル、泡の高さが３．０センチメートルである。本発明に係る泡立て器を用いて作った泡に比較すると、粘度（粘り気）の弱い泡であることがわかる。
したがって、本発明に係る泡立て器でできる泡の粘度（粘り気）が強いということが言える。
【００５２】
≪サイレンサーを設ける実施例≫
図２７は、サイレンサー１３０を示す斜視図である。サイレンサー１３０は、軟らかいプラスチック製とすることができ、必要な金型を準備して成型することによってつくることができる。
図２７に示すように、サイレンサー１３０は、コイルばねの端の１巻に対してその１巻がなす面状の広がりのうちの８０パーセントに当接して支えるコイルばね当接部１３２と、コイルばね当接部１３２に対して垂直であり、コイルばねを構成するコイルに対しても垂直であって、コイルばね当接部１３２のコイルばねが当接する限界の場所に設けられた二つの垂直壁である第一の垂直壁１３４、第二の垂直壁１３６と、コイルばね当接部１３２の前記コイルばねとは反対側に垂直に延びる円筒状の壁であって、コイルばねの外径を、内径とする円筒壁部１３８とを有する。
前記第一の垂直壁１３４と、前記第二の垂直壁１３６には、それぞれコイルばねを構成するコイルが通ることが可能な孔１４２、１４４、１４６，１４８を二個ずつ前記コイルばねの延びる方向に並べて設けられる。
【００５３】
図２８は、サイレンサー１３０を自由稼働コイルばねに装着する様子を示した図である。図２８(a)において、コイルばねの端の部分の８０パーセントは、コイルばね当接部１３２に当接している。このとき、コイルばねを形成するコイルの端は、第一の垂直壁１３４に設けられた孔１４２を通って、第一の垂直壁１３４の向こう側に到達するようにコイルを回す。ここでコイルを回すとはコイルを円筒状のものと見たときにその中心軸を回転軸として回すことである。
コイルをさらに一回転ほど回すと、コイルの先は円筒壁部１３８の内壁に沿って移動する。コイルの先は第二の垂直壁１３６の向こう側から孔１４６に近づく。ここでコイルの先を孔１４６を通るようにコイルを回すと、コイルの先がこちら側に見える位置に到達する。その状態が図２８(b)に描かれている。
さらにコイルをもう少し回すと、コイルの先が第一の垂直壁１３４に設けられた孔１４４に到達する。そこで、コイルの先を孔１４４に通して、さらにコイルを回してコイルの先を第一の垂直壁１３４の向こう側に到達させて円筒壁部１３８の内壁に沿って移動させる。その状態を描いたのが図２８(c)である。
コイルをさらにもう一回点ほどさせると、コイルの先が第二の垂直壁１３６に設けた孔１４８の位置に到達する。その孔１４８をコイルの先が通るようにして、さらにコイルをもう少し回すと、コイルの先は第一の垂直壁１３４（の孔のない位置）に到達して、そこに突き当り固定される。
このようにして、サイレンサー１３０がコイルばねに装着される。コイルの二巻分が、このサイレンサー１３０に通っており、孔４つを通過しているので、コイルばねの振動及び揺動に耐えられる強度でサイレンサー１３０と、コイルばねとの合体がなされる。
すなわち、コイルばねとサイレンサー１３０とは、取外しが可能な状態で取り付けられる。
【００５４】
図２９は、サイレンサーの鍔（つば）の部分を広くしたもの（バネ固定具）２３０を示す斜視図である。
前述したサイレンサー１３０は、コイルばね当接部１３０の部分の外径と、その裏側に当たる部分の外径とが同程度である。
それに対し、コイルばね当接部１３２の裏側に鍔２３２を設けて広くしたものとして、鍔付きサイレンサー（バネ固定具）２３０としたものである。
すなわち、鍔２３２は、円筒壁部の、コイルばね当接部１３２とは反対側に、コイルばね当接部１３２に対して平行な円板（又は環状の部材）であって外側に延びるものである。鍔２３２の外径は、上部収納部の開口部の内径よりも大きく、上部収納部の開口部の外径と同じである。
【００５５】
図３０は、バネ固定具２３０を用いて泡立て器の上部にバネを固定する様子を示した図である。
コイルばね２２０に対して、図２８と同様の方法で、鍔付きサイレンサー（バネ固定具）２３０を取り付ける。そして、収納部２１０にコイルばね２２０を入れる。このとき、鍔２３２の外径は、上部収納部の開口部の内径よりも大きいので、鍔２３２が開口部に引っかかって止まる。その状態で上部開閉部２１１を装着すると、バネ固定具２３０が固定され、コイルばね２２０が固定される。
バネ固定具２３０，サイレンサー１３０は、いずれも取外し可能なものであり、この泡立て器を購入したユーザ自身が取付も、取外しも可能なものとして提供されることができる。したがって、泡立て器の収納部と上部開閉部とコイルばねのセットに、サイレンサー１３０を２個、バネ固定具２３０を付属させることにより、ユーザがさまざまなバリエーションで使用可能である。
たとえば、サイレンサー１３０を２個、コイルばねの両端に取り付けることによって、騒音を軽減した利用ができる。また、コイルばねを上部に固定した状態で十分な撹拌力が得られる場合には、コイルばねの片側のサイレンサー１３０を取り外して、バネ固定具２３０に取り換えて上部にコイルばねをつるした状態で使用することが可能である。
上部にコイルばねを固定する場合には、使用後にコイルばねを取り出しやすい。コイルばねを自由に移動可能なものとして利用する場合には、コイルばねを取り出すのに手間がかかるが、撹拌力は大きくなることが期待される。
【００５６】
≪なぜ洗顔フォーム・ハンドソープ・ボディソープ・シャンプー・台所洗剤は泡立てるべきなのか≫
感染症の多い昨今、手洗いは大切なスキルである。なぜ石けん類は泡立てて洗うと良いのか、その理由としてよく泡立てることで、効率的かつ低刺激で汚れを落とすことができるということが挙げられる。石けんや洗浄剤は肌に優しい使い方が重要である。よく泡立てて使用すること、皮膚をこすりすぎないこと、十分に洗い流すこと大切であるとが言われている。汚れを落とすことに関わるのが界面活性剤分子で、水になじみやすい親水基と油になじみやすい親油基を持っている。親油基を汚れのほうに、親水基を水のほうに向けて皮脂や汚れを包み込み、皮膚との間に浸透し汚れを剥がすのが界面活性剤による洗浄のメカニズムである。また界面活性剤には起泡作用があり、泡立てることで汚れを浮かび上がらせ、皮膚をこすりすぎず効率的に汚れを落とす効果が期待できる。つまり石けんや洗浄剤をよく泡立てることで、第一に、皮膚のしわなど細部に洗浄剤がわたること、第二に、汚れを浮かび上がらせることで少ない摩擦で効率的に汚れが落とせること、第三に、泡による体積の増大で少ない洗浄剤で広い面積を洗うことができること、第四に、皮膚に接触する洗浄剤の濃度が低くなり肌の刺激が少なくなること、第五に、よく泡立てて使用することで、すすぎ後の洗浄成分の皮膚への残留が少なくなることが期待できる。
【００５７】
石けんや洗浄剤の泡立てには、原液と溶かし水そして空気との3者関係で泡立つ。大気中で原液と溶かし水を配合し泡立てると、ふわふわクリミー泡ができる。本発明に係る泡立て器に原液と溶かし水を配合し空気量を換えて泡立てると、泡立て器（４００ミリリットル）内でできる泡はしっとりクリミー泡ができる。しっとりクリミー泡はボトル内から大気中に出ると、ふわふわクリミー泡に変化する。この変化をして行く際、上述した５つの効果をより効率的に向上させ、今まで経験したことがない体感が生まれ、今までにない泡立てを使用することで、より効果的に汚れを落すことで、１． 洗剤の使用量の増加防止  ２． すすぎに使用する水の増加防止  ３． すすぎ時間の短縮  ４． 手荒れ・肌のうるおい成分による角層バリア機能の低下に伴う皮膚の乾燥防止  ５． 台所用食器のあらゆる油汚れの洗浄に活躍、かつてない油汚れが簡単に落ち綺麗に  という効果が得られる。
【００５８】
≪他の物への応用≫
液状体は、洗顔剤、洗剤、シャンプーなどにかぎらない。たとえば、建築材料で水に分散させて（溶いて）用いるものにも用いることができる。また、整髪料（整髪用のリキッドなど）、クレンジングオイルなどにも応用できる。
【００５９】
さらに、産業機械油類にも適用できる。この泡立て器を使用して均一化した産業機械油類を機械に使用することで、機械の効率的な運用を図ることができる。ここで、産業は、化学工業、建設業、食品加工業など、さまざまな産業を含む。そして、産業機械は、産業車両など自走式の機械と、固定式の機械の双方を含む。具体的には、油圧ポンプ、ボイラ、原動機などを含む。機械油は、油圧ポンプにおける作動油、他の機械における潤滑油を含む。
特に、建設業の現場において用いる油圧ポンプ、油圧装置においては、現場において機械油を補充する必要が生じる。その場合に、補充に必要な油を均一化させて充填するのに、本発明に係る泡立て器が役立つ。
【００６０】
≪調理用泡立て器、液状体の容器、調味料容器への適用≫
本発明の泡立て器は、調理用泡立て器、調味料容器への適用が可能である。
【産業上の利用可能性】
【００６１】
油相を水相に分散させて用いるドレッシングタイプの調味料の泡立て器又は容器として利用可能である。また、薄力粉などの粉を水に分散させる（溶かす）際に用いる泡立て器又は容器として利用可能である。牛乳を泡立てる泡立て器として利用可能である。さらにまた、食材に限らず、建設用資材、洗剤、整髪料、洗顔液、洗顔料、ボディソープなど、粉又は油を水に分散させて用いる際の泡立て器又は容器として利用可能である。さらに、産業機械油類の撹拌にも応用可能である。
【符号の説明】
【００６２】
１０  収納部
１１  上部開閉部
１２  下部開閉部
２０  コイルばね
３１，３２，３３  衝撃吸収材
１１０  収納部
１１０ｂ、１１０ｃ  グリップ部
１１１、１１２  上部開閉部
１１１ａ、１１１ｂ  ツマミ部
１１１ｃ、１１２ｃ  泡取出し口
１１２ａ  ふた部
１１２ｂ  受け部
１２０  コイルばね
１３０  サイレンサー
１３２  コイルばね当接部
１３４  第一の垂直壁
１３６  第二の垂直壁
１３８  円筒壁部
１４２，１４４，１４６，１４８  孔
２１０  収納部
２１１  上部開閉部
２２０  コイルばね
２３０  鍔付きサイレンサー（バネ固定具）
２３２  鍔
【要約】
［要約］
［課題］使用者が手で上下又は左右に振る泡立て器を提供する。
［解決手段］上下に延びる内側の空間を有し外側にはグリップ形状を有する収納部と、開閉部と、巻き径が一定で、収納部の内部において上下方向に自由に移動可能なコイルばねを有する。収納部に分散させる物と液体とが混合された状態の液状体及びコイルばねを収納する。コイルばねの端にはサイレンサーを設ける。コイルばねの端の１巻に対してその１巻がなす面状の広がりのうちの８０パーセントに当接して支えるコイルばね当接部と、コイルばね当接部に対して垂直であり、コイルばねを構成するコイルに対しても垂直であって、コイルばね当接部の前記コイルばねが当接する限界の場所に設けられた二つの垂直壁である第一の垂直壁、第二の垂直壁と、コイルばね当接部のコイルばねとは反対側に垂直に延びる円筒状の壁であって、コイルばねの外径を、内径とする円筒壁部とを有し、第一の垂直壁と第二の垂直壁には、それぞれコイルばねを構成するコイルが通ることが可能な孔を二個ずつコイルばねの延びる方向に並べて設ける。【図１】
0006964923.tif 000002
【図２】
0006964923.tif 000003
【図３】
0006964923.tif 000004
【図４】
0006964923.tif 000005
【図５】
0006964923.tif 000006
【図６】
0006964923.tif 000007
【図７】
0006964923.tif 000008
【図８】
0006964923.tif 000009
【図９】
0006964923.tif 000010
【図１０】
0006964923.tif 000011
【図１１】
0006964923.tif 000012
【図１２】
0006964923.tif 000013
【図１３】
0006964923.tif 000014
【図１４】
0006964923.tif 000015
【図１５】
0006964923.tif 000016
【図１６】
0006964923.tif 000017
【図１７】
0006964923.tif 000018
【図１８】
0006964923.tif 000019
【図１９】
0006964923.tif 000020
【図２０】
0006964923.tif 000021
【図２１】
0006964923.tif 000022
【図２２】
0006964923.tif 000023
【図２３】
0006964923.tif 000024
【図２４】
0006964923.tif 000025
【図２５】
0006964923.tif 000026
【図２６】
0006964923.tif 000027
【図２７】
0006964923.tif 000028
【図２８】
0006964923.tif 000029
【図２９】
0006964923.tif 000030
【図３０】
0006964923.tif 000031